(57)【要約】【課題】膨大部３ｂを有する複数条の補強リブ３を持つデッキプレート１を補強リブを上側にして敷設しコンクリートを打設して床構造を構築する際に、打設コンクリートがデッキプレート長さ方向端部において前記膨大部内に入り込むことがなく、また、コンクリートの膨大部浸入防止のために補強リブのデッキプレート長さ方向端部を押し潰す場合に、その押し潰し加工が容易であり、押し潰したことによる端部の断面性能の低下が少なく、その他の点でも改善されるデッキプレートを得ることを目的とする。【解決手段】基板部２と、この基板部から、当該基板部側に窄まり部３ａを有し先端側に膨大部３ｂを有する断面形状で突出する複数条の補強リブ３を備えたデッキプレート１であって、デッキプレート長さ方向両端部に、前記補強リブをデッキプレート幅方向両側から押し潰して前記膨大部を閉鎖した押し潰し端４を有する。【選択図】図３
2014190074.tif 000002
【特許請求の範囲】
【請求項１】
基板部と、この基板部から、当該基板部側に窄まり部を有し先端側に膨大部を有する断面形状で突出する複数条の補強リブを備えたデッキプレートであって、
デッキプレート長さ方向両端部に、前記補強リブをデッキプレート幅方向両側から押し潰して前記膨大部を閉鎖した押し潰し端部を有することを特徴とするデッキプレート。
【請求項２】
前記押し潰し端部は、膨大部先端側部分の膨大部板材が内向きに折り込まれる態様でデッキプレート幅方向両側から押し潰されて形成されたことを特徴とする請求項１記載のデッキプレート。
【請求項３】
前記押し潰し端部は、膨大部先端側部分の膨大部板材がさらに先端方向に延出して二枚重ね状態になる態様でデッキプレート幅方向両側から押し潰されて形成されたことを特徴とする請求項１記載のデッキプレート。
【請求項４】
前記補強リブの前記窄まり部が隙間のない閉鎖窄まり部であり、前記補強リブの膨大部のデッキプレート長さ方向両端部がデッキプレート幅方向両側から押し潰されていることで、デッキプレート全体として補強リブの内部に閉鎖空間が形成されていることを特徴とする請求項１〜３のいずれか１項に記載のデッキプレート。
【請求項５】
請求項１〜４のいずれか１項のデッキプレートを複数枚、前記補強リブを上側にして梁間に掛け渡し、その上にコンクリートを打設して構築したことを特徴とする床構造。
【請求項６】
共通の梁上で連続する２つの床の一方が等厚スラブ、他方が合成スラブであり、
前記等厚スラブは上面全体が平坦面である型枠を用いコンクリートを打設して構築されるスラブであり、
前記合成スラブは打設されるコンクリートに対してコンクリート硬化後にコンクリートと一体結合する突部を有するデッキプレートを型枠として用いコンクリートを打設して構築されるスラブであり、
前記合成スラブが、請求項１〜４のいずれか１項のデッキプレートを型枠として用いコンクリートを打設して構築されてなり、かつ上面高さ位置が前記等厚スラブと同じであることを特徴とする床構造。
【発明の詳細な説明】
【技術分野】
【０００１】
この発明は、基板部とこの基板部から突出する複数条の補強リブを備えたデッキプレート、及びこのデッキプレートを用いて構築する床構造に関する。
【背景技術】
【０００２】
図１１は基板部２と、この基板部２から、当該基板部２側に図示例では２枚重ね部である窄まり部３ａを有し先端側に空間３ｃを形成する膨大部３ｂを有する断面形状で突出する複数条の補強リブ３を備えた薄鋼板製のデッキプレートを示す。基板部２の幅方向の一方の縁部に短幅平坦部２ａを有し、他方の縁部にＬ形に曲げた係止片２ｂを有している。この種のデッキプレートは、一般にフラットデッキプレートと称されているが、補強リブが膨大部を持たずに単にＬ形やＩ形に折り畳んだ形状をなすフラットデッキプレートもある。
この種のデッキプレートは例えば、鉄骨造、鉄筋コンクリート造、鉄骨鉄筋コンクリート造の建築物の床スラブや屋根スラブなどを構築する際に、梁間に掛け渡してコンクリート打設用型枠として用いられる。
【０００３】
この種のデッキプレートは一般に、補強リブ３を下側にして敷設するが、通常、図１２（イ）、（ロ）、（ハ）に示したデッキプレート１’のように、デッキプレート長さ方向端部の補強リブ３を基板部２側に押し潰して押し潰し端部４’を形成し、この押し潰し端部４’を梁５に掛けることが行なわれている（特許文献１）。
デッキプレート長さ方向端部（以下場合により単に長さ方向端部と言う）を押し潰さないままでは、打設したコンクリートが補強リブ３の膨大部３ｂ内に入り込んで、無用にコンクリート使用量が増してコスト高となり、また床重量も増して適切でないので、また、階高を節約するためにも、前記のように、長さ方向端部を押し潰して、デッキプレートの上面高さ位置が低くなるようにしている。
なお、この場合、押し潰し端部４’に厚みがあることで、長さ方向端部を単に押し潰したままでは基板部２の下に隙間が生じるので、端部における基板部２を基板部上面より凹ませてパン２ｃを形成している。
【０００４】
この種のデッキプレートは、一般にフラットデッキプレートと呼ばれるように上面全体に平坦面が形成されることが特徴なので、上記のように補強リブ３を下側にして敷設するのが一般的であるが、特許文献２（特開平８−２１８５３８）では、端部の押し潰し加工を不要にし、かつ、天井吊金具の取り付けを容易にするフラットデッキプレートとして、補強リブを上側にして敷設する場合が示されている。すなわち、この特許文献２の補強リブは、基本的には前記図１１の補強リブ３と同様な断面形状で、二枚重ね部（特許文献２の垂直条部２ａ）と三角形状の空間を形成する膨大部（特許文献２の中空条部２ｂ）とを有するが、長さ方向端部は、押し潰して膨大部の空間を閉鎖する構造とはしてはいない。
【０００５】
特許文献３（特開平９−４１０７）は、フラットデッキプレートに塗装を施している場合に、補強リブにおける二枚重ね部（特許文献３の垂直重合部２ａ）の拡開を防止するためのスポット溶接を可能にすることを目的とするものであるが、基本構造としては特許文献２と同様である。
【０００６】
ところで、いわゆるフラットデッキプレートではないが、水平な山面と谷面とが斜面で連続して台形波形断面形状をなす通常のデッキプレートの場合は、長さ方向端部を特に処理しないで敷設したのでは、山面の下の空間から打設したコンクリートが階下に流出するので、コンクリート漏れを防ぐ手段が必要であり、長さ方向端部の山部を押し潰し閉塞して梁載置部とすることが行なわれ、エンクロデッキプレートとも称されている（特許文献４：特開２００７−０７７６４５）。
【先行技術文献】
【特許文献】
【０００７】
【特許文献１】特開平６−１２３１５３
【特許文献２】特開平８−２１８５３８
【特許文献３】特開平９−４１０７
【特許文献４】特開２００７−０７７６４５
【発明の概要】
【発明が解決しようとする課題】
【０００８】
補強リブを上側にして用いる場合に特許文献２では、長さ方向端部は、押し潰して膨大部の空間を閉鎖する構造としてはいない。したがって、打設したコンクリートが膨大部に入り込み、コンクリート使用量が増してコスト高となり、また、設計以上のコンクリート量となるので床重量も増加し、設計時の許容応力を超えてしまうことも生じ得る。
【０００９】
そこで、特許文献１のように長さ方向端部を上から押し潰して形成した押し潰し端部の場合が考えられるが、端部断面の高さが殆んどなくなり、端部の断面性能が大きく低下するが、端部においても断面性能の低下を極力防ぐことが望ましい。
【００１０】
仮に、前記図１２の押し潰し端部４’を有するデッキプレート１’を、特許文献２と同様に補強リブ３を上側にする逆さ使いをして敷設するとすれば、図１３のデッキプレート１”ようになり、打設したコンクリートが膨大部に入り込むという特許文献２の前記問題は解消される。なお、この場合の長さ方向端部には、図１２におけるパン２ｃは不要である。
【００１１】
図１２のような一般的な使い方をするにしても図１３のような逆さ使いをするにしても、補強リブ３を上から押し潰して押し潰し端部を形成するが、膨大部３ｂを有する補強リブ３を上から押し潰して押し潰し端部４’を形成する端部加工では、複雑に折り畳まれて潰されるので、常に一定した押し潰し端部形状は得にくく、また、すっきりした外観とはならない。
その他、従来のように上から押し潰した端部を持つデッキプレートと比べて、種々の点で改善されるデッキプレートが得られれば望ましい。
【００１２】
本発明は上記事情を鑑みてなされたもので、膨大部を有する複数条の補強リブを持つデッキプレートを前記補強リブを上側にして用いる場合に、打設したコンクリートが長さ方向端部において前記補強リブの膨大部内に入り込むことがないデッキプレートを得ることを目的とし、また、コンクリートの膨大部浸入を防止するために補強リブのデッキプレート長さ方向端部を押し潰す場合に、その押し潰し加工が容易であり、かつ、押し潰したことによる端部の断面性能の低下が少なく、また、その他の点でも改善されるデッキプレートを得ることを目的とする。
【課題を解決するための手段】
【００１３】
上記課題を解決する請求項１の発明は、基板部と、この基板部から、当該基板部側に窄まり部を有し先端側に膨大部を有する断面形状で突出する複数条の補強リブを備えたデッキプレートであって、
デッキプレート長さ方向両端部に、前記補強リブをデッキプレート幅方向両側から押し潰して前記膨大部を閉鎖した押し潰し端部を有することを特徴とする。
【００１４】
請求項２は、請求項１のデッキプレートにおいて、前記押し潰し端部は、膨大部先端側部分の膨大部板材が内向きに折り込まれる態様でデッキプレート幅方向両側から押し潰されて形成されたことを特徴とする。
【００１５】
請求項３は、請求項１のデッキプレートにおいて、前記押し潰し端部は、膨大部先端側部分の膨大部板材がさらに先端方向に延出して二枚重ね状態になる態様でデッキプレート幅方向両側から押し潰されて形成されたことを特徴とする。
【００１６】
請求項４は、請求項１〜３のいずれかのデッキプレートにおいて、前記補強リブの前記窄まり部が隙間のない閉鎖窄まり部であり、前記補強リブの膨大部のデッキプレート長さ方向両端部がデッキプレート幅方向両側から押し潰されていることで、デッキプレート全体として補強リブの内部に閉鎖空間が形成されていることを特徴とする。
【００１７】
請求項５の床構造の発明は、請求項１〜４のいずれか１項のデッキプレートを複数枚、前記補強リブを上側にして梁間に掛け渡し、その上にコンクリートを打設して構築したことを特徴とする。
【００１８】
請求項６の床構造の発明は、共通の梁上で連続する第１の床と第２の床との一方が等厚スラブ、他方が合成スラブであり、
前記等厚スラブは上面全体が平坦面である型枠を用いコンクリートを打設して構築されるスラブであり、
前記合成スラブは打設されるコンクリートに対してコンクリート硬化後にコンクリートと一体結合する突部を有するデッキプレートを型枠として用いコンクリートを打設して構築されるスラブであり、
前記合成スラブが、請求項１〜４のいずれか１項のデッキプレートを型枠として用いコンクリートを打設して構築されてなり、かつ上面高さ位置が前記等厚スラブと同じであることを特徴とする。
【発明の効果】
【００１９】
本発明によれば、補強リブの膨大部のデッキプレート長さ方向両端部がデッキプレート幅方向両側から押し潰されて、閉じた押し潰し端部を形成しているので、このデッキプレートを補強リブを上側にして梁上に敷設しコンクリートを打設しても、コンクリートがデッキプレート長さ方向端部において補強リブの膨大部内に入り込むことがない。
したがって、設計以上のコンクリート使用量となることを防ぎ、コンクリート量増加によるコストアップを防ぐことができる。また、設計通りのコンクリート量で施工されるので、床重量が設計重量より増すことがなく、設計時の許容応力を超えてしまう恐れもなくなる。
【００２０】
従来のように補強リブを上から押し潰す端部加工では、複雑に折り畳まれて潰されるので、常に一定した押し潰し端部形状は得にくく、また、すっきりした外観とはならないが、本発明のように、デッキプレート幅方向両側から押し潰す端部加工では、常に一定した押し潰し端部形状が得られ、また、すっきりした外観となる。
また、従来の補強リブの全体を上から押し潰す加工と比較して、本発明のデッキプレート幅方向両側から押し潰す加工では、膨大部の押し潰し加工だけで済むので、加工に要する力は小さく済む。
【００２１】
上から押し潰して形成した従来の押し潰し端部のように断面高さが殆んどなく断面性能が大きく低下するものと比較して、本発明のデッキプレート幅方向両側から押し潰して形成した押し潰し端部は断面高さを保つので、断面性能は大である。
【００２２】
本発明のデッキプレートを請求項５のように、膨大部を持つ補強リブを上側にして敷設することで、膨大部が打設したコンクリートと一体結合するコンクリート合成効果を奏し、デッキプレートが単なる型枠にとどまらず、コンクリート硬化後は構造部材として機能し、いわゆる合成スラブを構築することができる。
【００２３】
従来のように補強リブを上から押し潰す場合と比較して、デッキプレート幅方向両側から押し潰す場合は、押し潰された部分から端部加工の影響を受けていない補強リブ断面形状に移行するデッキプレート長さ方向の断面漸変領域が短く済むので、デッキプレート長さ方向の変形部領域が短く済む。
したがって、コンクリート合成効果の低い変形部（押し潰し端部＋断面漸変領域）の領域を短くすることができる。
【００２４】
請求項５の床構造を、台形波形断面形状をなす通常のデッキプレートを用いた合成スラブと同等の断面性能となるようなコンクリートボリュームで施工した場合、前記台形波形断面形状の合成床版用デッキプレートを用いた合成スラブと比較して、スラブ厚を薄くすることができる（詳細は後述）。
したがって、請求項６のように、共通の梁上で連続する２つの床の一方を等厚スラブ、他方を合成スラブとする場合に、前記他方の合成スラブを請求項５のように本発明のデッキプレートを用いて構築することで、前記２つの床全体のスラブ厚を、台形波形断面形状の合成床版用デッキプレートを用いて合成スラブを構築する場合の２つの床全体のスラブ厚より、薄くすることができる。
すなわち、梁上で連続する梁の両側の２つの床は通常、床面高さ位置を同じにするので、前記他方の合成スラブが台形波形断面形状のデッキプレートを用いた合成スラブであれば、その合成スラブのスラブ厚に合せて前記一方の等厚スラブを余分に厚く施工する必要がある。しかし、前記他方の合成スラブを請求項５の合成スラブとすることでそのスラブ厚を薄くすることができるので、前記一方の等厚スラブを余分に厚く施工する必要はなく、したがって、梁の両側の２つの床全体のスラブ厚を、台形波形断面形状の合成床版用デッキプレートを用いて合成スラブを構築する場合の２つの床全体のスラブ厚より、薄くすることができる。これにより、階高を低くすることが可能で、施工コストを削減することができ、建物全体として大きなコストダウンが図られる。
【００２５】
請求項４のように補強リブの窄まり部がカシメや溶接等により隙間のない閉鎖窄まり部とされておれば、コンクリートの重量で窄まり部の隙間が広がったりすることがなく、好ましい。
【図面の簡単な説明】
【００２６】
【図１】本発明の一実施例のデッキプレートを示すもので、（イ）はデッキプレート端部近傍の平面図、（ロ）は（イ）のＡ−Ａ断面図、（ハ）は（イ）のＢ−Ｂ断面図である。
【図２】図１のデッキプレートを梁間に掛け渡した状態の側面図である。
【図３】（イ）は図２の押し潰し端部の近傍を拡大した図、（ロ）は（イ）のＣ−Ｃ断面図、（ハ）は（イ）のＤ−Ｄ断面図、（ニ）は（ハ）を拡大した図である。
【図４】上記デッキプレートの斜視図である。
【図５】図４の要部を拡大した図である。
【図６】上記デッキプレートにおける補強リブの端部を幅方向から押し潰して押し潰し端部を形成する工程の説明図である。
【図７】本発明において押し潰し端部から押し潰していない補強リブまでの断面漸変領域長さについて説明する図であり、（ロ）は図１のデッキプレートの要部の図、（イ）は（ロ）の平面図、（ハ）は図１３（イ）に示した従来のデッキプレートの要部の図である。
【図８】（イ）は本発明の床構造の一実施例を示す要部断面図、（ロ）は（イ）の床構造の効果を説明するために比較して示した床構造の断面図である。
【図９】本発明の他の実施例を示す図（図３に対応）であり、（イ）はデッキプレートの押し潰し端部の近傍を拡大した図、（ロ）は（イ）のＣ’−Ｃ’断面図、（ハ）は（イ）のＤ’−Ｄ’断面図である。
【図１０】本発明のさらに他の実施例を示す図（図３に対応）であり、（イ）はデッキプレートの押し潰し端部の近傍を拡大した図、（ロ）は（イ）のＣ”−Ｃ”断面図、（ハ）は（イ）のＤ”−Ｄ”断面図である。
【図１１】デッキプレート長さ方向端部の押し潰し加工をしていないデッキプレートを説明するもので、（イ）はデッキプレート端部近傍の平面図、（ロ）は（イ）のＥ−Ｅ断面図である
【図１２】従来のデッキプレートを説明するもので、（イ）はデッキプレートを梁間に掛け渡した状態の側面図、（ロ）は（イ）のＦ−Ｆ拡大断面図、（ハ）は（イ）の梁を除くＧ−Ｇ拡大断面図である。
【図１３】他の従来のデッキプレートを説明するもので、（イ）はデッキプレートを梁間に掛け渡した状態の側面図、（ロ）は（イ）のＨ−Ｈ拡大断面図、（ハ）は（イ）の梁を除くＩ−Ｉ拡大断面図である。
【発明を実施するための形態】
【００２７】
以下、本発明のデッキプレート及び床構造を実施するための形態について、図面を参照して説明する。
【実施例１】
【００２８】
図１は一実施例のデッキプレート１を説明するもので、（イ）はデッキプレート端部近傍の平面図、（ロ）は（イ）のＡ−Ａ断面図、（ハ）は（イ）のＢ−Ｂ断面図である。図２は図１のデッキプレート１を梁間に掛け渡した状態の側面図である。図３（イ）は図２の押し潰し端部の近傍を拡大した図、（ロ）は（イ）のＣ−Ｃ断面図、（ハ）は（イ）のＤ−Ｄ断面図、（ニ）は（ハ）を拡大した図である。図４は上記デッキプレート１の端部近傍の斜視図、図５は図４の一部分を拡大した図である。
【００２９】
このデッキプレート１は、例えば、鉄骨造、鉄筋コンクリート造、鉄骨鉄筋コンクリート造の建築物の床スラブや屋根スラブなどを構築する際に、梁間に掛け渡してコンクリート打設用型枠として用いられるもので、一般に０．８ｍｍ〜１．６ｍｍ程度の薄鋼板を用いてロール成形により製造される。
図示例のデッキプレート１は、長さ方向端部を除けば図１１で説明したデッキプレートと同じであり、基板部２と、この基板部２から、当該基板部２側に図示例では２枚重ね部（窄まり部）３ａを有し先端側に空間３ｃを形成する膨大部３ｂを有する断面形状で突出する複数条の補強リブ３を備え、基板部２の幅方向の一方の縁部に短幅平坦部２ａを有し、他方の縁部にＬ形に曲げた係止片２ｂを有している。
【００３０】
本発明のデッキプレートは、デッキプレート長さ方向両端部に、前記補強リブ３をデッキプレート幅方向両側から押し潰して前記膨大部３ｂを閉鎖した押し潰し端部４を有する。
図示例の押し潰し端部４は、図３（ハ）及び拡大した（ニ）に示すように、膨大部先端側部分の平坦部（膨大部板材）が内向きに折り込まれる態様でデッキプレート幅方向両側から押し潰されて形成されている。
図６はその押し潰し端部４を形成する過程を模式的に示したもので、図６（イ）は補強リブ３の膨大部３ｂが変形していない本来の三角形断面形状であり、膨大部３ｂの三角形辺の平坦部Ｓの中央を、同図（ロ）のように基板部２側に押し込んで凹ませるか、もしくは膨らまないように支えた後、同図（ハ）のように膨大部３ｂを金型で両側から押し潰すことで、同図（ニ）のように前記平坦部Ｓを隙間のない二枚重ねに状態に折り畳んで、押し潰し端部４を形成している。この端部押し潰し加工は適宜の金型を用いて行なうことができる。（ロ）〜（ニ）には変形していない状態の膨大部３ｂを破線で示した。
【００３１】
従来のように補強リブを上から押し潰す端部加工では、複雑に折り畳まれて潰されるので、常に一定した押し潰し端部形状は得にくく、また、すっきりした外観とはならないが、図６に示したように、デッキプレート幅方向両側から押し潰す端部加工では、常に一定した押し潰し端部形状が得られ、また、すっきりした外観となる。
また、従来の補強リブの全体を上から押し潰す加工と比較して、本発明のデッキプレート幅方向両側から押し潰す加工では、二枚重ね部の変形はなく膨大部の押し潰し加工だけで済むので、加工に要する力は小さく済む。
【００３２】
上記のデッキプレート１は、図２、図３のように、コンクリート床施工に際して、コンクリート打設時の捨て型枠として梁５間に掛け渡され、必要に応じて適宜配筋を配置してコンクリートを打設し、床スラブを構築する。
このデッキプレート１によれば、補強リブ３の膨大部３ｂのデッキプレート長さ方向両端部がデッキプレート幅方向両側から押し潰されて、閉じた押し潰し端部４を形成しているので、図示のように補強リブ３を上側にして敷設しコンクリートを打設しても、コンクリートがデッキプレート長さ方向端部において補強リブ３の膨大部３ｂ内に入り込むことがない。
したがって、設計以上のコンクリート使用量となることを防ぎ、コンクリート量増加によるコストアップを防ぐことができる。また、設計通りのコンクリート量で施工されるので、床重量が設計重量より増すことがなく、設計時の許容応力を超えてしまう恐れもなくなる。
【００３３】
また、上から押し潰して形成した従来の押し潰し端部４’のように断面高さが殆んどなく断面性能が大きく低下するものと比較して、デッキプレート幅方向両側から実施例のように押し潰して形成した押し潰し端部４は断面高さを保つので断面性能は大である。但し、押し潰していない補強リブと比較すると若干低下する。
【００３４】
このデッキプレート１を用いて構築した床構造は、補強リブ３が上側にあるので、補強リブ３の膨大部３ｂが打設したコンクリートと一体結合するコンクリート合成効果を奏する。特に、膨大部３ｂの基板部２へ向けた面が打設したコンクリートに係合して、デッキプレートとコンクリートの合成効果が得られる。したがって、デッキプレートが単なる捨て型枠にとどまらず、コンクリート硬化後は構造部材として機能し、いわゆる合成スラブを構築することができる。なお、合成スラブとなるので、構造用鉄筋を省略することも可能であるが、必要に応じて構造用鉄筋も配置するとよい。
【００３５】
図７は本発明において押し潰し端部から押し潰していない補強リブまでの距離、すなわち断面漸変領域長さについて説明する図であり、（ロ）は図１のデッキプレートの要部の図、（イ）は（ロ）の平面図、（ハ）は図１３（イ）に示した従来のデッキプレートの要部の図である。
例えば、板厚１．０ｍｍ、補強リブ３の高さが７５ｍｍ、その膨大部３ｂの幅が４０ｍｍ、２枚重ね部３ａの長さが概ね４０ｍｍのデッキプレートの場合、実施例の押し潰し端部４を形成する際の断面漸変領域長さＬを５０ｍｍまで短くしても良好な押し潰し端部を形成できるのに対して、従来の上から押し潰す端部加工の場合の断面漸変領域長さＬ’は通常２００ｍｍ程度を必要とする（なお、押し潰し端部４、４’の長さは同じとしている）。
このように、本発明の幅方向から押し潰す端部加工の場合の断面漸変領域Ｌは、従来の上から押し潰す端部加工の場合の断面漸変領域Ｌ’と比較して顕著に短く済む。したがって、コンクリート合成効果の低い変形部（押し潰し端部＋断面漸変領域）の領域を短くすることができる。
【００３６】
従来及び本発明の３種の端部断面形状について、断面二次モーメント及びコンクリートに対する付着面積（幅方向の長さで示す）を比較すると表１の通りである。なお、板厚１ｍｍ、補強リブの高さ７５ｍｍ、幅４０ｍｍ、１スパン（補強リブ間隔）２１０ｍｍで計算している。
<１>は従来の押し潰し加工をしない端部断面形状（仮にエンクロ無し断面と呼ぶ）、  <２>は横方向に押し潰して形成した本発明の押し潰し端部４の断面形状（仮に垂直エンクロ断面と呼ぶ）、<３>は上から押し潰して形成した従来の押し潰し端部４’の断面形状（仮に水平エンクロ断面と呼ぶ）である。なお、コンクリートに対する付着面積が大きいことはコンクリートに対する結合力に寄与する。
表１に示す通り、断面二次モーメント及び付着面積のいずれについても、エンクロ無し断面の場合が最も大であるが、従来の水平エンクロ断面４’では、エンクロ無し断面に対して断面二次モーメントが１％、付着面積が５４％と大幅に低下するのに対して、本発明の垂直エンクロ断面４では、エンクロ無し断面に対して断面二次モーメントが８３％、付着面積が９０％であり、低下の程度が軽微である。
【表１】
2014190074.tif 000003
【実施例２】
【００３７】
図８は共通の梁５上で連続する２つの床の一方を等厚スラブ２１、他方を合成スラブとして施工する場合について説明する図である。
図示例の一方の等厚スラブ２１は、図１２（イ）のように、デッキプレート１’を上面全体が平坦面である単なる捨て型枠として用いて施工した等厚スラブであり、一般的な鉄筋コンクリート床と同様に縦及び横の鉄筋を配置する。
合成スラブは、敷設したデッキプレートがコンクリート打設時には型枠として機能し、コンクリート硬化後はコンクリートと一体となって荷重を負担するスラブであり、図８（イ）の合成スラブ２２は、本発明のデッキプレート１を合成デッキとして図２のように梁間に敷設しコンクリートを打設して構築した合成スラブである。
図８（ロ）の合成スラブ２３は、水平な山面１１ａと谷面１１ｂとが斜面１１ｃで連続して台形波形断面形状をなし、さらに斜面１１ｃにコンクリートと係合する段差部１１ｄを形成した合成床版用デッキプレート１１を用いて構築した合成スラブである。
【００３８】
図８（ロ）の合成スラブ２３は、構造設計上、谷部のコンクリートの厚み方向全体を構造部材として有効に使えないので、スラブ厚ｔ’が厚くなる。
これに対して、図８（イ）の合成スラブ２２を、台形波形断面形状をなす合成床版用デッキプレートを用いた合成スラブと同等の断面性能となるようなコンクリートボリュームで施工した場合、構造部材として有効に使えないコンクリート部分はないので、前記台形波形断面形状の合成床版用デッキプレートを用いた合成スラブと比較して、スラブ厚ｔを薄くすることができる。
【００３９】
ところで、図８（イ）のように、梁５上で連続する梁両側の２つの床は通常、床面高さ位置を同じにするので、前記他方の合成スラブが、図８（ロ）のように台形波形断面形状のデッキプレート１１を用いて施工した合成スラブ２３であれば、床面高さ位置を同じにするためにその合成スラブ２３のスラブ厚ｔ’に合せて前記一方の等厚スラブ２１のスラブ厚を余分に厚くする必要（ｔをｔ’とする必要）がある。
しかし、前記他方の合成スラブを、図８（イ）のように本発明のデッキプレート１を用いて施工した合成スラブ２２とすれば、そのスラブ厚を余分に厚くする必要はなく本来のスラブ厚ｔのままで済む。
したがって、厚みを同じに施工する梁の両側の２つの床全体２１、２２のスラブ厚を、台形波形断面形状の合成床版用デッキプレートを用いて合成スラブを構築する場合の２つの床全体のスラブ厚ｔ’より、薄くすることができる。これにより、階高を低くすることが可能で、施工コストを削減することができ、建物全体として大きなコストダウンが図られる。
【実施例３】
【００４０】
図９に本発明の他の実施例のデッキプレート１Ａを示す。このデッキプレート１Ａの押し潰し端部４Ａは、膨大部先端側部分の膨大部板材がさらに先端方向に延出して、図９（ハ）に示すように単なる直線状の二枚重ね状態になる態様でデッキプレート幅方向両側から押し潰されて形成されている。
【実施例４】
【００４１】
図１０に本発明のさらに他の実施例のデッキプレート１Ｂを示す。このデッキプレート１Ｂは、同図（ロ）に示すように、補強リブ３’の二枚重ね部（窄まり部）３ａ’を長くした場合のもので、二枚重ね部３ａ’の中間部に、折り返し形状で左右に突出する横突出部３ｄ’を設けている。この横突出部３ｄ’は、二枚重ね部３ａ’の座屈耐力を高めるとともに、コンクリートを打設した際のデッキプレート１Ｂとコンクリートの合成効果を高める効果がある。
補強リブ３’の先端側の膨大部３ｂ’は、図３（ロ）に示された膨大部３ｂと同じ断面形状であり、略三角形状をなして空間３ｃ’を形成する。
また、このデッキプレート１Ｂにおける押し潰し端部４Ｂの押し潰された膨大部の部分は、図３（ハ）に示された押し潰し端部４と同様で、膨大部先端側部分の平坦部（膨大部板材）が内向きに折り込まれる態様でデッキプレート幅方向両側から押し潰されて形成されている。
【００４２】
上記各実施例では、補強リブ３の基板部２に繋がる窄まり部が、２枚の板材が重ね合わされた二枚重ね部３ａであるが、この二枚重ね部３ａの長さ（高さ）は特に限定されない。さらには、略三角形状の膨大部３ｂが基板部２から直接形成されていて、膨大部３ｂの略三角形状の頂点部分が窄まり部となる断面形状であってもよい。
また、空間を形成する膨大部の形状は略三角形に限定されない。
また、基板部２は、実施例では平板状としているが、例えば表面に凹凸があるものなど、平板状に限定されない。
【符号の説明】
【００４３】
１、１Ａ、１Ｂ  デッキプレート
２  基板部
３、３’  補強リブ
３ａ、３ａ’  二枚重ね部（窄まり部）
３ｂ、３ｂ’  膨大部
３ｃ、３ｃ’  空間
３ｄ’  横突出部
４、４Ａ、４Ｂ  押し潰し端部
５  梁
２１  等厚スラブ
２２  （本発明のデッキプレートによる）合成スラブ
２３  （台形波形断面形状のデッキプレートによる）合成スラブ
Ｌ  断面漸変領域長さ
【図１】
2014190074.tif 000004
【図２】
2014190074.tif 000005
【図３】
2014190074.tif 000006
【図４】
2014190074.tif 000007
【図５】
2014190074.tif 000008
【図６】
2014190074.tif 000009
【図７】
2014190074.tif 000010
【図８】
2014190074.tif 000011
【図９】
2014190074.tif 000012
【図１０】
2014190074.tif 000013
【図１１】
2014190074.tif 000014
【図１２】
2014190074.tif 000015
【図１３】
2014190074.tif 000016